(57)【要約】      （修正有）【課題】所定のイベントが有ったことを携帯端末を保有するユーザの状態に応じた適切な通知方法でアラームを行い、ユーザへイベントが有ったことを確実に通知する。【解決手段】未確認の着信が発生すると、携帯端末は、着信が有ったことを画像・文字等、表示によるアラームを行うと共に、自携帯端末を保有するユーザが歩行中か否かを判定する。そして歩行中と判定したならば、前記アラーム表示に加えて、さらに音によるアラームを当該着信の確認操作がなされるまで行う。【選択図】図１
2014207500.tif 000002
【特許請求の範囲】
【請求項１】
携帯型情報端末または携帯型通信端末が備えるアラーム通知方法であって、
前記端末を携帯する携帯者が歩行中の状態か否かを判定する歩行中判定ステップと、前記携帯者へアラームを通知すべき予め定められたイベントの発生を鳴動音により通知する鳴動アラームステップと、前記イベントの発生を文字情報または画像情報の表示により通知する表示アラームステップと、前記鳴動アラームステップと前記表示アラームステップのいずれかを起動または停止するアラーム起動停止ステップと、を有し、
前記アラーム起動停止ステップは、前記イベントが発生した場合に前記表示アラームステップを起動すると共に、前記歩行中判定ステップが歩行中の状態と判定したならば前記鳴動アラームステップを起動し、前記歩行中判定ステップが歩行中の状態ではない判定したならば前記鳴動アラームステップを停止し、前記通知したアラームを確認した旨の確認操作が為されたならば前記鳴動アラームステップおよび前記表示アラームステップを停止することを特徴とする歩行中判定によるアラーム通知方法。
【請求項２】
請求項１に記載のアラーム通知方法であって、
前記予め定められたイベントは、新たな電話着信または新たな電子メール着信がある旨を通知する着信有通知に対して、前記携帯者による前記着信有通知を確認した旨の操作が為されていない着信有通知の発生であることを特徴とする歩行中判定によるアラーム通知方法。
【発明の詳細な説明】
【技術分野】
【０００１】
携帯型情報端末または携帯型通信端末が備えるアラーム通知方法に関する。
【背景技術】
【０００２】
携帯電話機等において、電話着信が到来し鳴動音を伴う着信表示をしたにも関わらず、携帯電話機等のユーザがその着信に気付かず、未応答なまま呼が切断されてしまうことがある。これを解決する技術として、未応答な着信の存在を携帯電話機等の表示部に強調表示して、迅速な折り返し発信を促す、未応答着信有通知機能に係る技術が知られている（例えば、特許文献１）。
【０００３】
しかしながら、特許文献１等に記載された従来の着信有通知機能は、未応答な着信の存在を表示するだけなので、その存在に依然として気付かないことが多い（例えば、携帯電話機をカバンに入れたままの場合等）。これは、着信時の鳴動音を伴う着信表示にも気付かないユーザにとっては当然と言える。
【０００４】
従って、この着信有通知も鳴動音を伴うことが望ましいが、その場合、その通知音をいつでも鳴動させて良いかが問題となる。即ち、会議中や電車内等では、通常の着信鳴動と同様に、この着信有通知の鳴動音も周囲に対して迷惑である。マナーモードに設定されていれば、この着信有通知をバイブレータで通知出来るが、バイブレータを伴う着信有通知に気付かなかったユーザは、依然として気付かないことになる。
【０００５】
この解決策として、歩行中の状態において、鳴動音を伴う着信有通知を実行することが考えられる。歩行中の状態での鳴動であれば、周囲への迷惑は小さいと思われる。
【０００６】
一方、加速度センサの出力信号を分析して、使用者の動作の種別（歩行、走行、または、何れでもない）を判定する技術がある（例えば、特許文献２）。ただし、この特許文献２に記載されている技術は歩数計に係るものであり、上述した未応答着信有通知等のアラーム通知への適用は考慮されていない。
【先行技術文献】
【特許文献】
【０００７】
【特許文献１】特開２００１−９４６３７公報
【特許文献２】特開２０１２−８６３７公報
【発明の概要】
【発明が解決しようとする課題】
【０００８】
そこで、本発明の課題は、携帯電話を保有するユーザが歩行中か否かの状態を判定し、その状態に応じた適切な通知方法で、着信有通知等のアラーム通知方法を提供することにある。
【課題を解決するための手段】
【０００９】
上記課題を解決するため、本発明は、携帯型情報端末または携帯型通信端末が備えるアラーム通知方法であって、前記端末を携帯する携帯者が歩行中の状態か否かを判定する歩行中判定ステップと、前記携帯者へアラームを通知すべき予め定められたイベントの発生を鳴動音により通知する鳴動アラームステップと、前記イベントの発生を文字情報または画像情報の表示により通知する表示アラームステップと、前記鳴動アラームステップと前記表示アラームステップのいずれかを起動または停止するアラーム起動停止ステップと、を有し、前記アラーム起動停止ステップは、前記イベントが発生した場合に前記表示アラームステップを起動すると共に、前記歩行中判定ステップが歩行中の状態と判定したならば前記鳴動アラームステップを起動し、前記歩行中判定ステップが歩行中の状態ではない判定したならば前記鳴動アラームステップを停止し、前記通知したアラームを確認した旨の確認操作が為されたならば前記鳴動アラームステップおよび前記表示アラームステップを停止することを特徴とする。
【発明の効果】
【００１０】
本発明によれば、携帯電話を保有するユーザが歩行中か否かの状態を判定し、その状態に応じた適切な通知方法で、未応答着信有等のアラーム通知方法を提供することが出来る。例えば、会議室から出たユーザが、携帯電話機をマナーモードにしたままであっても、その歩行中に鳴動音を伴う未応答着信有通知が為されるので、その着信への折り返し発信のタイミングを逸する恐れが少ない。
【図面の簡単な説明】
【００１１】
【図１】携帯端末の概略構成図である。
【図２】加速度変動パターン記憶部に記憶された判定基準ならびに携帯端末を保有するユーザの状態における着信モードを模式的に表した図である。
【図３】携帯端末のアラーム通知を示すフローチャート図である。
【発明を実施するための形態】
【００１２】
図１は、携帯端末の概略構成図である。携帯端末１は、図示しないＩＰパケット網に無線で接続して通話をする携帯電話、スマートホン等である。携帯端末１は、ユーザのポケットあるいは、ユーザが携行するバッグに保管される。
【００１３】
携帯端末１は、無線処理部１０１、通信・通話制御部１０２、着信有通知情報記憶部１０３、移動状態判定部１０４、加速度センサ１０５、加速度変動パターン記憶部１０６、アラーム部１０７、端末制御部１０８、バイブレータ１０９、キー１１０、マイク／スピーカ１１１、ＬＣＤ１１２、アンテナ１１３とから構成される。
【００１４】
無線処理部１０１は、図示しないＩＰパケット網とアンテナ１１３を通じて無線通信の送受信を制御する。
【００１５】
通信・通話制御部１０２は、電話における電話発着信制御全般ならびに電子メールにおける電子メール送受信制御全般を行う。また、通信・通話制御部１０２は、端末制御部１０８と連携して電話発着信制御によって通話を確立すると、図示しないハンドセットを介した通話制御ならびにキー１１０、ＬＣＤ１１２を介したメール編集処理を行う。
【００１６】
通信・通話制御部１０２は、無線処理部１０１から電話による着信（以下、電話着信と呼称）を受けると、端末制御部１０８と連携して端末制御部１０８に設定されているモード種別（後述する）に応じた電話着信処理を行う。通信・通話制御部１０２は、無線処理部１０１から電信メールによる着信（以下、電子メール着信と呼称）を受けると、電子メール着信に応じて端末制御部１０８に設定されているモード種別（後述する）に応じた電子メール着信処理を行う。
【００１７】
通信・通話制御部１０２は、電話着信または電子メール着信が有ると（以下、電話着信と電子メール着信が有ったことを総称して着信有と呼称する）、前述のモード種別に応じて着信が有ったことをユーザへ通知する（以下、着信有通知と呼称）。
【００１８】
ここで、着信有通知とは、電話着信処理・電子メール着信処理で行う通常の着信表示よりも強調した表示のことを意味する。例えば、図示しないＬＥＤの点滅や、ＬＣＤ１１２上に文字による「着信あり」の表示である。また、通信・通話制御部１０２は、着信有に対して一定時間内（例えば３分間）に該着信を了承した旨の確認操作を検出しなかった場合に、着信有通知情報記憶部１０３へ着信有通知情報を記憶する。また、通信・通話制御部１０２は、確認操作を検知した場合に、着信有通知情報記憶部１０３に当該着信有通知情報が記憶されていたならば、確認フラグをオンに設定する。
【００１９】
ここで、着信有通知情報とは着信有に対してユーザの確認操作がない場合に記憶される情報であって、例えば発信元の電話番号またメールアドレスまたは発信元の氏名を意味する。また、ここで確認フラグとは該着信有通知情報の確認操作が為されているか否か判定するためのフラグであって、確認操作を検知したならばオン、確認操作を検知していないならばオフが設定される。なお、デフォルトではオフが設定されているものとする。
【００２０】
着信有通知情報記憶部１０３は、着信有通知情報を記憶する記憶部である。着信有通知情報記憶部１０３は、通信・通話制御部１０２からの指示に応じて着信有通知情報の記憶、または着信有通知情報に設定された確認フラグをオンにする。着信有通知情報記憶部１０３は、移動状態判定部１０４からの要請に応じて、着信有通知情報を移動状態判定部１０４に渡す。
【００２１】
移動状態判定部１０４は、着信有通知情報記憶部１０３を定期的に読み出し、着信有通知情報が記憶されているか否かを監視する。移動状態判定部１０４は、加速度センサ１０５からセンサ値を渡されると、加速度変動パターン記憶部１０６に記載された判定基準と照合比較し、携帯端末１を保有するユーザが停止している状態（以下、停止中と呼称する）か、歩行している状態（以下、歩行中と呼称する）か、乗車している状態（以下、乗車中と呼称する）かの状態を判定する。そして、移動状態判定部１０４は、加速度変動パターン記憶部１０６から判定した状態に対応する着信モード２０５（後述する）を抽出し、抽出した着信モード２０５を端末制御部１０８へ渡し、モード種別を渡した着信モードに変更するよう指示する。
【００２２】
移動状態判定部１０４は、着信有通知情報記憶部１０３に着信有通知情報が記憶されている場合、アラーム部１０７へＬＣＤ１１２や図示しないＬＥＤ等、表示によるアラーム（以下、アラーム表示と呼称）を指示する。また、移動状態判定部１０４は、着信有通知情報記憶部１０３に着信有通知情報が記憶され、且つ状態が歩行中と判定した場合にアラーム部１０７へマイク／スピーカ１１１のスピーカを用いた鳴動によるアラーム（以下、アラーム鳴動と呼称）を指示する。
【００２３】
加速度センサ１０５は、自センサに加わる加速度をＸ軸、Ｙ軸、Ｚ軸の３軸で計測するセンサ機器である。加速度センサ１０５は、３軸のセンサ値を読み出して、定期的（例えば３秒間に一度）に移動状態判定部１０４へ送る。
【００２４】
加速度変動パターン記憶部１０６には、携帯端末１を保有するユーザが停止中か、歩行中か、乗車中かを判定するための判定基準２０１と、停止中、歩行中、乗車中の状態２０４と、着信モード２０５を記憶する。さらに、加速度変動パターン記憶部１０６は、移動状態判定部１０４からの要請に応じて、前記判定基準と前記着信モード２０５を移動状態判定部１０４へ渡す。詳細は図２で説明する。
【００２５】
アラーム部１０７は、移動状態判定部１０４から指示に応じて端末制御部１０８と連携してアラーム表示またはアラーム鳴動を行う。
【００２６】
端末制御部１０８は、バイブレータ１０９、キー１１０、マイク／スピーカ１１１、ＬＣＤ１１２および、通信・通話制御部１０２、アラーム部１０７と接続し、携帯端末１の端末制御全般を行う。また、端末制御部１０８には、予めモード種別が設定されており、通信・通話制御部１０２からの着信有りの通知を受けた際の着信通知方法として設定されたモード種別に応じて、着信通知を鳴動または、振動及び表示によって行う。
【００２７】
具体的には、モード種別には通常モードと自動設定によるマナーモードと手動設定によるマナーモードがある。通常モードが設定されていた場合に、端末制御部１０８は、マイク／スピーカ１１１による音のみによる鳴動通知とＬＣＤ１１２に数字・符号による表示を行う。また、マナーモードが設定されていた場合に、バイブレータ１０９による振動通知と、ＬＣＤ１１２による数字・符号による表示を行い、音による鳴動通知は行わない。
【００２８】
一方、端末制御部１０８は、アラーム部１０７からアラーム表示の要請があるとＬＣＤ１１２によるアラーム表示を行い、アラーム部１０７からアラーム鳴動の要請があると設定されたモード種別に関係なく、マイク／スピーカ１１１のスピーカから音によるアラーム鳴動を行う。
【００２９】
バイブレータ１０９は、モータを回して重りを振動させる振動処理部であって、振動で着信やアラームを表示する。キー１１０は、フック、ダイヤル、発信、切断、アラームの表示や停止の指示を入力するスイッチである。
【００３０】
マイク／スピーカ１１１は、通話相手の音声をスピーカで出力して、またマイクで該携帯端末を保有するユーザの入力音声を拾う。ＬＣＤ１１２は、着信したときの電話番号やキー１１で入力した数字、符号を表示する表示部である。アンテナ１１３は、無線処理部１０１から受けた信号を電波で発信し、また、電波を受信して信号を無線処理部１０１へ送る。
【００３１】
次に移動状態判定部１０４がどのように携帯端末１を保有するユーザの状態を判定し、端末制御部１０８のモード種別を変更するかについて、図２を用いて説明する。図２は、加速度変動パターン記憶部１０６に記憶された判定基準２０１ならびに携帯端末１を保有するユーザの状態２０４における着信モード２０５を模式的に表した図である。
【００３２】
判定基準２０１は、携帯端末１を保有するユーザの状態を判定するための判定基準である。判定基準２０１は、加速／減速判定２０２と加速度変動パターン２０３とから構成され、加速／減速判定２０２には、携帯端末１を保有するユーザの状態が乗車中か否かを判定するための判定基準を記憶し、また、加速度変動パターン判定２０３には、携帯端末１を保有するユーザの歩行中か否かを判定するための判定基準を記憶する。両方を判定することにより、携帯端末１を保有するユーザの状態が停止中か、歩行中か、乗車中かのいずかの状態の判定を行う。
【００３３】
状態２０４は、ユーザの状態を記憶し、着信モード２０５は、状態２０４に従って自動設定によりマナーモードを設定するか、自動設定により設定されたマナーモードを解除するか、現在のモードを代えずに前の状態を維持するか、端末制御部１０８のモード種別に設定する設定情報を記憶する。なお、自動設定により設定されたマナーモードを解除する際、ユーザの手動設定によって設定されたマナーモードは解除対象から除く。
【００３４】
まず、加速度センサ１０５が、Ｘ軸、Ｙ軸、Ｚ軸の出力値を３軸の合成ベクトルに直してログを取り、定期的（例えば３秒間）に取得したログデータを移動状態判定部１０４に渡す。移動状態判定部１０４は、加速度センサ１０５からログデータを渡される毎にログデータの積分値と後述する基準値との変動を算出し、算出した変動が加速／減速判定２０２で規定された範囲（例えば±５％以内）か否か判定する。
【００３５】
ここで基準値とは、携帯端末１を保有するユーザが、静止している状態にある場合、すなわち、加速度センサ１０５が重力加速のみを受けて、一定の加速度を示しているときの単位時間当たりの積分値を意味する。
【００３６】
一般に電車等の乗り物は、もっぱら水平方向に移動し、上下方向には、大きな加速度を生ずるような移動は殆どしない。したがって、電車等に乗車中の場合、加速度センサ１０５は重力加速度以外には、水平方向の加速度のみを受けると考えて大きな間違えはない。実際の電車走行中、小刻みな上下振動は感じるが、電車が急こう配を登り降りすることを感じることはまずない。この小刻みな上下振動による加速度は、時間積分によっては、相殺されてしまうので、時間積分すると水平方向の加速度だけが残ることになる。
【００３７】
そこで電車が走りだしたり、停車のための減速を行う比較的短時間の時間積分をとると合成ベクトルは、静止している状態の合成ベクトルより大きくなると考えてよい。長時間の時間積分では、電車は走り出し又減速してとまるので、積分値もあまり大きくならない可能性が高い。よって、移動状態判定部１０４は、３秒間のログデータを積分した値が基準値に対して変動が±５％以上で有れば携帯端末１を保有するユーザが、乗車（加速）中と判定する。
【００３８】
一方、停止中や乗車（定速走行）中には、加速度センサ１０５には、殆ど加速度は掛からないので、短時間のログデータ積分値は、略基準値に等しい。
また、歩行中の場合、加速度センサ１０５は、水平方向の加速度は比較的小さいが、上下方向への大きな加速度を受ける。しかし、この場合も時間で積分すると上下方向の加速度は相殺されるので、歩行状態での単位時間当たりの合成ベクトルの積分値は、あまり大きくならない。よって、移動状態判定部１０４は、３秒間のログデータを積分した値が基準値に対して変動が５％以内で有れば携帯端末１を保有するユーザが、乗車（加速）中以外と判定する。
【００３９】
次に、乗車（加速）中以外と判定された携帯端末１を保有するユーザが歩行中か否かを判定する。歩行中か否かを判定する方法としては、特許文献２の技術を用いる。特許文献２の歩行検出アルゴリズムに用いる判定データを歩行パターンとして予め記憶しておき、加速度センサ１０５からのＸ軸、Ｙ軸、Ｚ軸の出力値を３軸の合成ベクトルと照合して、歩行パターンに一致するばあいには歩行中と判定し、歩行パターン以外の場合には停止中、乗車（定速走行）中と判定する。
【００４０】
なお、以降において「停止中」と「乗車（定速走行）中」は、携帯端末の動作上、同じ扱いとなるので、「停止中」で代表し、「乗車（加速）中」を単に「乗車中」と表現する。
【００４１】
次に、携帯端末１を保有するユーザの状態が判定されると、移動状態判定部１０４は、判定された状態に対応する着信モードを抽出して端末制御部１０８へ抽出した着信モードへの変更を指示し、指示された端末制御部１０８はモード種別を変更する。このようにすることで、携帯電話を保有する人が、停止中、歩行中、乗車中のどの状態にあるか判定し、それに応じてマナーモードの状態を変更する。
【００４２】
図３は、携帯端末１のアラーム通知を示すフローチャート図である。尚、本フローチャートは、携帯端末１が電源オンになったところから開始し、電話発着信制御、電子メール送受信制御等、公知の技術については説明を省略するものとする。
【００４３】
携帯端末１は、通信・通話制御部１０２が着信（電話着信／電子メール着信）を検出する（Ｓ３００）、または移動状態判定部１０４が乗車中の状態と判定する（Ｓ３１０）、または移動状態判定部１０４が歩行中の状態と判定する（Ｓ３２０）、の何れかを待つ。
【００４４】
着信を検出した場合（Ｓ３００：ＹＥＳ）、通信・通話制御部１０２は、着信有りを端末制御部１０８に指示し、端末制御部１０８は、現在のモード種別に応じて、例えば着信有を鳴動／表示する（Ｓ３０１）。そして、端末制御部１０８は、一定時間内（例えば３０秒以内）に、キー１１０からの着信有に対する携帯端末１を保有するユーザの確認操作を待つ（Ｓ３０２）。
【００４５】
一定時間内に、着信有に対する確認操作が検出しなければ（Ｓ３０２：Ｎｏ）、通信・通話制御部１０２は、着信有通知情報を着信有通知情報記憶部１０３に記憶し、アラーム部１０７は、着信有をアラーム表示する（Ｓ３０４）。そしてステップ３００に戻る。
【００４６】
一定時間内に、着信有に対する確認操作が為されたならば（Ｓ３０２：Ｙｅｓ）、通信・通話制御部１０２は、ステップ３０１で通知した着信有通知を停止する（Ｓ３０５）。そしてステップ３００に戻る。
【００４７】
携帯端末１を保有するユーザの確認操作を検出した場合（Ｓ３０２：ＮＯ）、携帯端末１は、着信有通知を停止する（Ｓ３０５）。そして、ステップ３０１へ戻る。
【００４８】
乗車中の状態と判定すると（Ｓ３１０：Ｙｅｓ）、移動状態判定部１０４は、端末制御部１０８の種別モードをマナーモードに自動設定する（Ｓ３１１）。そして、ステップ３０１へ戻る。
【００４９】
歩行中の状態と判定すると（Ｓ３２０：Ｙｅｓ）、移動状態判定部１０４は、端末制御部１０８の種別モードをステップ３１１において自動設定したマナーモードを解除する（Ｓ３２１）。そして、移動状態判定部１０４は、着信有通知情報記憶部１０３に記憶されている着信有通知情報のうち確認フラグがオフのものを検索して未確認の着信有通知があるか否か判定する（Ｓ３２２）。
【００５０】
未確認の着信有通知がない場合（Ｓ３２２：Ｎｏ）、ステップ３００に戻る。未確認の着信有通知がある場合（Ｓ３２２：Ｙｅｓ）、アラーム部１０７は、着信有を一定時間(例えば１０秒間)、端末制御部１０８にアラーム鳴動を指示する（Ｓ３２３）。
【００５１】
アラーム鳴動すると、無線端末１は、端末制御部１０８がキー１１０からの着信有に対する携帯端末１を保有するユーザの確認操作を待つ（Ｓ３２４）、または端末制御部１０８が再アラームタイミングになる（Ｓ３２５）、の何れかをまつ。
【００５２】
携帯端末１を保有するユーザの確認操作を検知すると（Ｓ３２４：Ｙｅｓ）、端末制御部１０８は、着信有通知情報記憶部１０３に記憶するアラームした着信有情報の確認フラグをオンに設定し、ステップ３０４において表示したアラーム表示を停止する。
【００５３】
以上、本実施例について説明した。本実施例によれば、携帯端末１は、移動状態判定部１０４が着信有通知情報記憶部１０３に未確認の着信が記憶されたことを検知すると、端末制御部１０８は、ＬＣＤ１１２などの表示を用いたアラーム表示を行う。さらに、移動状態判定部１０４が歩行中の状態と判定した場合には、端末制御部１０８は、音によるアラーム鳴動を実行する。これにより、ユーザは、歩行中と判定した時点、すなわち降車のタイミングで未応答着信が有ったことを気づく事が出来る。
【００５４】
本実施例によれば、携帯端末１は、新たな電話着信／電子メールが有るたびに、図３のフローを実行する。これにより、複数の未確認の着信有通知情報があったばあいでも対応することができる。
【００５５】
本実施例によれば、手動設定でのマナーモードの設定をした場合は、「マナーモードを解除するＳ３０４」を省略して、マナーモードのまま未応答着信を行っている。これにより、携帯端末１は、会議中に未応答着信が有ったときに、勝手に鳴動することが無くなる。
【００５６】
また、乗車中の乗り物は、車、電車、バスで説明したが、飛行機やエレベータ、船で有っても有効である。
また、未確認の着信有通知情報が複数個有る場合、歩行中を判定したときに複数呼有ることを示す別の鳴動音を出すようにしても良い。
【００５７】
尚、本実施例では、アラーム鳴動をマイク／スピーカ１１１のスピーカの音による通知としているが、本願はこれに限定しない。アラーム鳴動をアラーム鳴音（マイク／スピーカ１１１のスピーカの音による通知）とアラーム振動（バイブレータ１０９の振動による通知）のいずれかとし、端末制御部１０８のモード種別に応じてアラーム鳴音とアラーム振動を切替えるようにしてもよい。
【符号の説明】
【００５８】
１    ・・・携帯端末、
１０１・・・無線処理部、
１０２・・・通信・通話制御部、
１０３・・・着信有通知情報記憶部、
１０４・・・移動状態判定部、
１０５・・・加速度センサ、
１０６・・・加速度変動パターン記憶部、
１０７・・・アラーム部、
１０８・・・端末制御部、
１０９・・・バイブレータ、
１１０・・・キー、
１１１・・・マイク／スピーカ、
１１２・・・ＬＣＤ、
１１３・・・アンテナ
【図１】
2014207500.tif 000003
【図２】
2014207500.tif 000004
【図３】
2014207500.tif 000005